(57)【要約】【課題】  下駄箱などにおいて、より効率的な靴の収納を可能とする靴収納具の提供。【解決手段】  底板３の前後に前板４と後板５とが立設されると共に、左右に左側板６と右側板７とが立設され、左側板６と右側板７とは靴１９の幅に略等しく形成され、前板４と後板５とは、靴底を前後に合わせてつま先を下に向けた靴１９を複数足前後に重ねた前後長さに略等しく形成されてなる。底板３に、前板４と後板５との間の空間を前後に分ける仕切り部材１０が立設されてなる。底板３には前後方向に長い溝１１が形成され、この溝１１に沿って仕切り部材１０が前後方向に移動可能とされてなる。【選択図】      図１
0003123541.tif 000002
【実用新案登録請求の範囲】
【請求項１】
底板の前後に前板と後板とが立設されると共に、左右に左側板と右側板とが立設され、左側板と右側板とは靴の幅に略等しく形成され、前板と後板とは、靴底を前後に合わせてつま先を下に向けた靴を複数足前後に重ねた前後長さに略等しく形成されてなる
ことを特徴とする靴収納具。
【請求項２】
前記底板が前後に長い長方形であり、前記底板の周囲に沿って前記前板と前記左側板・前記右側板と前記後板とが連続して立設されてなる
ことを特徴とする請求項１に記載の靴収納具。
【請求項３】
前記前板と前記後板との間隔が、靴二足を前後に重ねた前後長さに略等しく形成されてなる
ことを特徴とする請求項１または請求項２に記載の靴収納具。
【請求項４】
前記底板に、前記前板と前記後板との間の空間を前後に分ける仕切り部材が立設されてなる
ことを特徴とする請求項１から請求項３までのいずれか１項に記載の靴収納具。
【請求項５】
前記仕切り部材は、左右方向に幅広の板状に形成されてなる
ことを特徴とする請求項４に記載の靴収納具。
【請求項６】
前記仕切り部材は、前後方向に移動可能に設けられてなる
ことを特徴とする請求項５に記載の靴収納具。
【請求項７】
前記仕切り部材には、前記底板、前記左側板、前記右側板のいずれかと係合する係合部が形成されてなる
ことを特徴とする請求項４に記載の靴収納具。
【請求項８】
前記底板と前記前板・前記後板および前記左側板・前記右側板とにより上方に開口した下すぼまりの箱形とされ、前記底板には前後方向に長い溝が形成され、この溝に沿って前記仕切り部材が前後方向に移動可能とされてなる
ことを特徴とする請求項６に記載の靴収納具。
【請求項９】
前記係合部は、前記仕切り部材の下端面から下方に突設された摺動部と、摺動部の下端に形成された抜止片とから成り、前記溝内に摺動部が位置することで前後に摺動可能とされてなる
ことを特徴とする請求項８に記載の靴収納具。
【請求項１０】
前記溝の少なくとも一端には、抜止片の幅より幅広であって、摺動部の一部が前記溝内にある状態で係合部を離脱し得る長さの着脱穴が形成されてなる
ことを特徴とする請求項９に記載の靴収納具。
【考案の詳細な説明】
【技術分野】
【０００１】
この考案は、靴収納具に関するものである。主に、家庭の下駄箱などで子供用の運動靴を効率よく、そして、取り出し易く収納する靴収納具に関するものである。
【背景技術】
【０００２】
靴を収納する家具としては、一般的に下駄箱が使用される。一般に家庭において使用される下駄箱は、内部を上下に仕切られている。
【０００３】
従来の下駄箱は、棚板が上下に間隔を空けて設置されており、運動靴を収納する場合には、この棚板の上に靴底を棚板に載せ置いた状態で横に並べて収納する。
【考案の開示】
【考案が解決しようとする課題】
【０００４】
しかしながら、図１０に示されるように、家庭において使用される下駄箱では、靴を並べたときに上方に無駄な空間が生まれ、非効率であった。このため、往々にして運動靴の上に運動靴を重ね置くこととなり、整理が不十分となり、乱雑になっていた。
【０００５】
かといって、靴の高さに合わせて棚板を設置すると棚板の間隔が狭く、掃除が困難であった。
【０００６】
この考案が解決しようとする課題は、下駄箱などでより効率的な靴の収納を可能とする靴収納具を提供することにある。
【課題を解決するための手段】
【０００７】
この考案は、前記課題を解決するためになされたもので、請求項１に記載の考案は、底板の前後に前板と後板とが立設されると共に、左右に左側板と右側板とが立設され、左側板と右側板とは靴の幅に略等しく形成され、前板と後板とは、靴底を前後に合わせてつま先を下に向けた靴を複数足前後に重ねた前後長さに略等しく形成されてなることを特徴としている。
【０００８】
請求項２に記載の考案は、前記底板が前後に長い長方形であり、前記底板の周囲に沿って前記前板と前記左側板・前記右側板と前記後板とが連続して立設されてなることを特徴としている。
【０００９】
請求項３に記載の考案は、前記前板と前記後板との間隔が、靴二足を前後に重ねた前後長さに略等しく形成されてなることを特徴としている。
【００１０】
請求項４に記載の考案は、前記底板に、前記前板と前記後板との間の空間を前後に分ける仕切り部材が立設されてなることを特徴としている。
【００１１】
請求項５に記載の考案は、前記仕切り部材は、左右方向に幅広の板状に形成されてなることを特徴としている。
【００１２】
請求項６に記載の考案は、前記仕切り部材は、前後方向に移動可能に設けられてなることを特徴としている。
【００１３】
請求項７に記載の考案は、前記仕切り部材には、前記底板、前記左側板、前記右側板のいずれかと係合する係合部が形成されてなることを特徴としている。
【００１４】
請求項８に記載の考案は、前記底板と前記前板・前記後板および前記左側板・前記右側板とにより上方に開口した下すぼまりの箱形とされ、前記底板には前後方向に長い溝が形成され、この溝に沿って前記仕切り部材が前後方向に移動可能とされてなることを特徴としている。
【００１５】
請求項９に記載の考案は、前記係合部は、前記仕切り部材の下端面から下方に突設された摺動部と、摺動部の下端に形成された抜止片とから成り、前記溝内に摺動部が位置することで前後に摺動可能とされてなることを特徴としている。
【００１６】
さらに、請求項１０に記載の考案は、前記溝の少なくとも一端には、抜止片の幅より幅広であって、摺動部の一部が前記溝内にある状態で係合部を離脱し得る長さの着脱穴が形成されてなることを特徴としている。
【考案の効果】
【００１７】
この考案によれば、下駄箱などの靴収納スペースを無駄なく利用できる。しかも、靴を上下に向けた状態で収納するので、下駄箱の棚の間の間隔を靴の長さに設定することができ、棚の間の間隔を広くすることで、棚の間の掃除がし易く、さらに、例えば二足を一組にして引き出すことができるので取り出し易いなど効率的な靴の収納を可能とする靴収納具を提供することができる。
【考案を実施するための最良の形態】
【００１８】
以下、この考案の具体的実施例を図面に基づいて詳細に説明する。
本考案の靴収納具は、主に靴を靴底を合わせてつま先を下方に向けた状態で整理することを可能とするために使用され、本実施例では、子供向の運動用の靴に使用した例について説明する。図１は、本考案の靴収納具１の一実施例の構成部材を示す斜視図である。
【００１９】
図１、図２、図３に示されるように、靴収納具枠体２は、前後方向に長い長方形の底板３の前縁３１に立設された前板４、後縁３２に立設された後板５、および同じく底板３の左側縁３３に立設された左側板６、右側縁３４に立設された右側板７で構成されている。前板４、後板５、および左側板６、右側板７は、底板３の周囲に独立して立設されていてもよいが、底板３の周囲に連設して形成されているのが、強度保持上好ましい。左側板６および右側板７は前後方向中央部が高く形成された凸形部６１，７１を有しており、前板４および後板５よりも凸形部６１，７１の部分だけ高く形成されている。底板３の下面には、前板４・後板５および左側板６・右側板７と同一面上で下方に前脚４２、後脚５２、左側脚６２、右側脚７２が周方向に連続して形成されている。靴収納具枠体２は、前板４、後板５、左側板６、右側板７を底板３から上方に向かうにしたがい拡開するように、すなわち、下すぼまりの箱形に形成するのが好ましく、このようにすることにより、靴の前半部の形状に沿い安定して保持する。靴収納具枠体２の四隅には細幅の換気穴８が形成されていることにより、靴収納具枠体２の内部の乾燥が促進される。また、前板４および後板５には楕円形の引き出し穴９が形成されていることにより、下駄箱２０内への収納・取り出しが容易に行い得る。
【００２０】
本実施例において、靴収納具１には、靴収納具枠体２の前板４と後板５との間の空間を前後に分ける仕切り部材１０が立設されており、前後に移動可能である。
【００２１】
本実施例において、底板３には、前後方向に溝１１が形成されている。溝１１は細幅であり、一端には楕円形状の着脱穴１２が形成されている。
【００２２】
図４に示されるように、仕切り部材１０は、左右方向に幅広であり、且つ底板に対して垂直に配置される仕切部１３と、仕切部１３の下端に前後に底板に対して水平に張り出している鍔部１４が一体形成されている。さらに、仕切部１３の下端面には、係合部１５が形成されている。
【００２３】
係合部１５は、仕切部１３の下端面から下方に突設された摺動部１６と、摺動部１６の下端に、底板に対して水平に形成された摺動部１６よりも幅広の抜止片１７とから構成されている。摺動部１６は、溝１１よりも若干細幅な矩形状板である。抜止片１７は、溝１１の一端に形成された着脱穴１２よりも幅狭で若干長径の長い楕円形状である。
【００２４】
図５、図６、図７に示されるように、仕切り部材１０を靴収納具枠体２に取り付けるには、仕切り部材１０を靴収納具枠体２の内部方向に傾斜させ、着脱穴１２から摺動部１６の一部が溝１１に差し込まれた後、仕切り部材１０を元の垂直状態に戻す。この操作により、鍔部１４の一部と抜止片１７の一部とが底板３を挟み込む位置に配置され、摺動部１６が着脱穴１２に差し込まれる。このように、抜止片１７を着脱穴１２の外端に当接したとき、抜止片１７の一部が底板３に係止することにより、仕切り部材１０が外側に倒れるのが防止される。そして、摺動部１６が溝１１内を前後方向に摺動可能となる。つまり、仕切り部材１０が溝１１に沿って移動可能となる。さらに、摺動部１６は溝１１に適合した矩形状板であるので、回転不可能とされる。なお、取り外す際は、着脱穴１２の位置に係合部１５を位置し、仕切り部材１０を靴収納具枠体２の内部方向に傾斜させ、摺動部１６の一部が溝１１に差し込まれた状態で傾斜方向と反対方向から斜め上方に抜き出せばよい。
【００２５】
図３に示されるように、底板３の下面には、溝１１の周囲にリブ１８が形成されている。仕切り部材１０が静止した場合であっても移動している場合であっても、リブ１８，１８の間に抜止片１７が配置されることにより、より安定した状態で静止し、より滑らかに移動可能となる。
【００２６】
このような構成であるから、図８に示されるように、靴底を合わせた状態の靴１９，１９二足をつま先を下に向けて収納することができ、これによって、図９に示されるように、下駄箱２０などの靴収納スペースを効率よく利用することが可能となった。しかも、靴収納スペースの棚の高さを靴の長さに合わせて設定できるので、棚板間が広くなり、下駄箱２０内の掃除が容易となる。左側板６および右側板７の弾力性により大小の靴を収納可能であり、さらに、左右から安定して保持する。左側板６および右側板７に凸形部６１，７１が形成されているので、左右に倒れにくいものとなる。また、仕切り部材１０は、靴収納具枠体２を前後方向に分けるだけでなく、収納された靴１９，１９をより確実に保持し、一足のみの収納も可能にする。さらに、仕切り部材１０は、靴１９，１９の形状や大きさに合わせて移動可能である。靴収納具枠体２の四隅に設けられた換気穴８により、風通しがよくなり、靴の乾燥を促進する。また、前板４および後板５に引き出し穴９を設けることにより、片手でも簡単に下駄箱２０から取り出すことができ、通気性もよい。
【００２７】
なお、本考案の靴収納具１は、上記実施例の構成、形状に限らず、適宜変更可能である。たとえば、仕切り部材１０は、複数個設置可能であり、溝１１は、一本だけでなく、二本以上形成してもよい。
【図面の簡単な説明】
【００２８】
【図１】本考案の靴収納具の一実施例の構成部材を示す斜視図である。
【図２】図１の靴収納具の平面図である。
【図３】図１の靴収納具の底面図である。
【図４】図１の靴収納具の縦断面図である。
【図５】図１の靴収納具の縦断面図であり、仕切り部材の靴収納具枠体への取り付けと靴収納具枠体内部での移動方向を示している。
【図６】図１の靴収納具の部分斜視図である。
【図７】図１の靴収納具の部分縦断面図であり、仕切り部材と溝との係合部による取り付け部分を時系列に示している。
【図８】図１の靴収納具の使用状態を示す斜視図である。
【図９】図１の靴収納具を下駄箱に設置した状態を示す斜視図である。
【図１０】図１の靴収納具を使用せずに、靴を下駄箱に収納した状態を示す斜視図である。
【符号の説明】
【００２９】
１  靴収納具
３  底板
４  前板
５  後板
６  左側板
７  右側板
１０  仕切り部材
１１  溝
１２  着脱穴
１５  係合部
１６  摺動部
１７  抜止片
１９  靴
【図１】
0003123541.tif 000003
【図２】
0003123541.tif 000004
【図３】
0003123541.tif 000005
【図４】
0003123541.tif 000006
【図５】
0003123541.tif 000007
【図６】
0003123541.tif 000008
【図７】
0003123541.tif 000009
【図８】
0003123541.tif 000010
【図９】
0003123541.tif 000011
【図１０】
0003123541.tif 000012